(57)【要約】      （修正有）【課題】センサーのメンテナンスや交換等を容易に行うことができる水栓装置を提供する。【解決手段】水栓装置１は、水栓本体１０とセンサーブロック１６を備える。水栓本体１０には、吐水口部２４が設けられる。センサーブロック１６は、水栓本体１０に設けられる。水栓本体１０は、外側に開口した開口部を備える。センサーブロック１６は、カバー３８とセンサー１１を備える。カバー３８は、水栓本体１０に取り付けられて開口部を閉塞する。センサー１１は、カバー３８の内側に配置されてカバー３８で覆われる。センサー１１がカバー３８に対して固定される。カバー３８が水栓本体１０に対して掛止により着脱可能に取り付けられる。【選択図】図１
2016108773.tif 000002
【特許請求の範囲】
【請求項１】
吐水口部が設けられた水栓本体と、
前記水栓本体に設けられたセンサーブロックとを備え、
前記水栓本体は、外側に開口した開口部を備え、
前記センサーブロックは、
前記水栓本体に取り付けられて前記開口部を閉塞するカバーと、
前記カバーの内側に配置されて前記カバーで覆われるセンサーとを備え、
前記センサーが前記カバーに対して固定され、前記カバーが前記水栓本体に対して掛止により着脱可能に取り付けられたことを特徴とする水栓装置。
【請求項２】
前記センサーは、
センサー素子と、
前記センサー素子が実装された回路基板と、
前記回路基板の前記カバー側と反対側の面に実装されたコネクターとを備え、
前記センサーブロックは、
前記カバーに対して固定され、前記回路基板を保持する保持部材を備え、
前記回路基板の前記コネクターが実装された面において前記コネクターに対応する部分以外の部分が、前記保持部材で覆われたことを特徴とする請求項１に記載の水栓装置。
【請求項３】
前記水栓本体は、軸方向の一端部に前記開口部が形成された筒状部を備え、
前記カバーは、前記筒状部の前記開口部側の端面に沿って配置される周縁部を備え、前記筒状部の前記端面と前記カバーの前記周縁部との間に、前記筒状部の外周側に通じる隙間が形成されたことを特徴とする請求項１または請求項２に記載の水栓装置。
【請求項４】
前記筒状部の前記端面に凹部が形成され、前記カバーの前記周縁部に、前記筒状部側に向かって突出した突起が形成され、この突起が前記凹部に嵌まり込み、前記突起の先端面と前記凹部の奥面との間に前記隙間が形成されたことを特徴とする請求項３に記載の水栓装置。
【発明の詳細な説明】
【技術分野】
【０００１】
本発明は、水栓装置に関し、詳しくはセンサーが設けられた水栓装置に関する。
【背景技術】
【０００２】
特許文献１には、水栓装置が開示されている。この水栓装置は、物体の存在・不存在を検知するセンサーを備えており、センサーの検知結果に基づいて吐水の有無を切り換える。
【先行技術文献】
【特許文献】
【０００３】
【特許文献１】特開２０１４−１７３３０１号公報
【発明の概要】
【発明が解決しようとする課題】
【０００４】
ところで、特許文献１に示される水栓装置では、センサーが水栓装置の本体を構成する吐水部に内蔵されており、センサーを吐水部から取り出し難い。このため、センサーのメンテナンスや交換等をする作業が煩雑になりやすい。
【０００５】
本発明は前記事情に鑑みてなされたものであって、センサーのメンテナンスや交換等を容易に行うことができる水栓装置を提供することを課題とする。
【課題を解決するための手段】
【０００６】
前記課題を解決するために本発明の水栓装置は、吐水口部が設けられた水栓本体と、前記水栓本体に設けられたセンサーブロックとを備え、前記水栓本体は、外側に開口した開口部を備え、前記センサーブロックは、前記水栓本体に取り付けられて前記開口部を閉塞するカバーと、前記カバーの内側に配置されて前記カバーで覆われるセンサーとを備え、前記センサーが前記カバーに対して固定され、前記カバーが前記水栓本体に対して掛止により着脱可能に取り付けられたことを特徴とする。
【発明の効果】
【０００７】
本発明に係る水栓装置は、カバーの水栓本体に対する掛止を解除するだけで、カバーおよびカバーに固定されたセンサーを水栓本体からまとめて取り外すことができる。このため、センサーのメンテナンスや交換等を容易に行うことができる。
【図面の簡単な説明】
【０００８】
【図１】図１は、本発明の実施形態の水栓装置が備える吐水部材の断面図である。
【図２】図２は、前記吐水部材の斜視図である。
【図３】図３は、前記水栓装置を備えた洗面台の断面図である。
【図４】図４は、前記洗面台の上部の斜視図である。
【図５】図５は、前記洗面台を備えたミラーキャビネットの側面図である。
【図６】図６は、前記水栓装置の説明図である。
【図７】図７は、他例の水栓装置の吐水部材の側面図である。
【図８】図８は、図１のＡ部拡大図である。
【図９】図９は、本発明の実施形態の水栓装置のセンサーブロックであって、カバーを省略して示した斜視図である。
【図１０】図１０は、前記センサーブロックを前記吐水部材の水栓本体から取り外した状態を示した斜視図である。
【図１１】図１１は、前記吐水部材の筒状部の開口部を示した斜視図である。
【図１２】図１２は、前記吐水部材の筒状部にセンサーブロックを取り付けた状態を示した斜視図である。
【発明を実施するための形態】
【０００９】
以下、本発明の実施形態について、図面を参照しながら説明する。図１は、本実施形態の水栓装置１が備える吐水部材１２の断面図である。図２は、水栓装置１の斜視図である。本実施形態の水栓装置１は、図３および図４に示す洗面台７０の水栓として利用される。洗面台７０は、図５に示すミラーキャビネット７１と併せて洗面化粧台を構成する。
【００１０】
洗面台７０は、洗面所等の部屋の壁に沿って床に設置される。ミラーキャビネット７１は、前記壁に沿って洗面台７０の上方に設けられる。
【００１１】
図３に示すように、洗面台７０は、台本体７２、槽体７３（洗面ボウル）、および水栓装置１を備えている。台本体７２は箱状に形成されており、床に設置される。
【００１２】
槽体７３は、台本体７２の上に設けられている。槽体７３は、上方に開口した槽部７５（ボウル部）を備えている。槽体７３は、槽部７５の前縁、および左右の側縁から外方に突出した板部７６を備えている。板部７６の上面は、洗面台７０の上面を構成している。
【００１３】
槽部７５は、後壁６６の上端部から後方に突出した設置部７７を備えている。図４に示すように、設置部７７の上面は、板部７６の上面よりも一段低く、水平である。設置部７７には、水栓装置１が設置されている。
【００１４】
なお、洗面台７０の上面が、槽体７３とは別に設けられた天板で構成される場合には、この天板を水栓装置１の設置部７７としてもよい。また、水栓装置１が設置される対象は、洗面台７０に制限されず、例えばキッチン台であってもよい。
【００１５】
水栓装置１は、センサー１１の検知結果に基づいて、吐水の有無を切り換える自動水栓である。水栓装置１は、図６に示すように、水を吐出するための吐水部材１２、吐水部材１２に水を供給するための給水路２６、給水路２６に設けられて吐水部材１２から吐出される水の流量と温度を変更するための操作部材１４、および電源ボックス１５を備えている。
【００１６】
図１に示すように、吐水部材１２は、水栓本体１０とセンサーブロック１６を備えている。水栓本体１０は、基体１７と吐水体１８を備えている。基体１７は、筒状部１９と突出部２０を備えている。
【００１７】
図１に示すように、水栓本体１０は、設置部７７から筒状部１９を上方に突出した状態で設置部７７に設置される。
【００１８】
筒状部１９は縦長の円筒状に形成されている。なお、筒状部１９は多角形の筒状に形成されてもよい。筒状部１９の軸方向は、上方程前方に位置するように傾斜している。なお、筒状部１９の軸方向は、図７に示すように、設置部７７の上面に対して垂直であってもよい。
【００１９】
図８に示すように、筒状部１９の上端部には、上方（水栓本体１０の外側であって、詳しくは前斜め上方）に開口した開口部２１が形成されている。センサーブロック１６は開口部２１に取り付けられるが、センサーブロック１６を開口部２１から取り外した状態では、筒状部１９の内側が、開口部２１を介して、筒状部１９の外側に開放される。
【００２０】
図１に示すように、基体１７の突出部２０は、筒状部１９の上下方向の中間部から前側に突出している。突出部２０は、筒状部１９と一体に形成されている。
【００２１】
突出部２０は、円筒状に形成されている。突出部２０の軸方向は、前方程上方に位置するように傾斜している。
【００２２】
突出部２０の前端部には、吐水体１８を着脱可能に連結できる連結部２２が設けられている。吐水体１８は、基体１７に対して着脱可能に取り付けられる吐水ヘッドである。吐水体１８は、本体部２３と吐水口部２４を備えている。すなわち、水栓本体１０には、吐水口部２４が設けられている。
【００２３】
吐水体１８の本体部２３は、横長の円筒状に形成されている。本体部２３の軸方向は、突出部２０の軸方向と平行である。吐水口部２４は、本体部２３の前端部から下側に突出している。吐水口部２４は、下側に開口しており、本体部２３に供給された水を下側に吐出する。
【００２４】
本体部２３の後端部には、掛止により基体１７の連結部２２に着脱可能に連結される被連結部２５が設けられている。水栓装置１の利用者は、吐水体１８を前方に移動させることで、被連結部２５と連結部２２の連結を解除して、吐水体１８を基体１７から取り外すことができる。
【００２５】
本体部２３の後端部には、基体１７の内部を通過する給水路２６が接続されている。給水路２６は、吐水体１８に水を供給する。この水は、吐水口部２４から吐出される。
【００２６】
図６に示すように、本実施形態の給水路２６は、水供給管２７、湯供給管２８、接続管２９、および給水管３０を備えている。図６中、符号３１は接続管２９に設けられた水抜き栓である。
【００２７】
水供給管２７、湯供給管２８、および接続管２９は、洗面台７０（図３参照）の内部に設けられる。水供給管２７には、例えば水道管から常温の水が供給される。湯供給管２８には、例えば給湯器から湯が供給される。水供給管２７には、止水栓３２が設けられており、湯供給管２８には止水栓３３が設けられている。
【００２８】
水供給管２７および湯供給管２８のそれぞれの下流側は、操作部材１４に接続されている。接続管２９は、上流側が操作部材１４に接続され、下流側が給水管３０の上流側に接続されている。
【００２９】
給水管３０は、洗面台７０の内部から、図１に示すように、基体１７の筒状部１９の内部および突出部２０の内部を順に通過して、吐水体１８の本体部２３に接続されている。
【００３０】
図６に示す水供給管２７から操作部材１４に供給された水、および湯供給管２８から操作部材１４に供給された湯は、操作部材１４において所望の割合で混合された後、接続管２９および給水管３０を順に介して吐水体１８に供給される。この水は、吐水体１８に供給されて吐水口部２４から吐出される。
【００３１】
操作部材１４には、水供給管２７から供給された常温の水と湯供給管２８から供給された湯の混合割合の変更、並びに操作部材１４から接続管２９側に供給される水の流量を変更するための弁カートリッジ３４（混合弁）が設けられている。
【００３２】
利用者は、操作部材１４が備えた操作レバー３５を操作することで、操作部材１４から接続管２９側に供給される水（すなわち、吐水口部２４から突出される水）の流量および温度を変更できる。
【００３３】
本実施形態の給水管３０は、可撓性を有するホースであって、屈曲可能である。本実施形態の給水管３０は、基体１７の突出部２０から引出可能な長さを有している。このため、利用者は、図１に示す吐水体１８を基体１７から取り外し、基体１７の突出部２０から給水管３０を引き出すことで、吐水体１８を基体１７から離れた位置に移動できる。
【００３４】
本実施形態では、吐水体１８が基体１７の突出部２０に着脱可能に連結されているが、例えば基体１７が突出部２０を備えない場合、吐水体１８は筒状部１９に対して着脱可能に連結されてもよい。また、吐水体１８は基体１７に対して取り外し不能に設けられてもよい。
【００３５】
図６に示すように、給水路２６の接続管２９には、給水管３０側への給水の有無（すなわち、吐水口部２４からの吐水の有無）を切り換えるための開閉弁３６が設けられている。
【００３６】
本実施形態の開閉弁３６は、電磁弁である。開閉弁３６の開閉は、電源ボックス１５が備えた制御部３７により制御される。
【００３７】
図８に示すように、センサーブロック１６は、水栓本体１０の筒状部１９の上端部（開口部２１側の端部）に設けられている。センサーブロック１６は、カバー３８、Ｏリング３９、センサー１１、および保持部材４０を備えている。
【００３８】
カバー３８は、筒状部１９に着脱可能に取り付けられる。カバー３８は、開口部２１を閉塞する略円板状の板状部４１と、板状部４１の外周部から下側（筒状部１９側）に向かって突出して筒状部１９の上端部（開口部２１）に嵌め込まれる周壁部４２を備えている。
【００３９】
カバー３８は透光性を有している。なお、カバー３８は、全体が透光性を有するカバーであってもよいし、センサー１１に対向する板状部４１のみが透光性を有するカバーであってもよい。
【００４０】
カバー３８の板状部４１の上面は、筒状部１９とカバー３８で構成された部分（すなわち、水栓本体１０において設置部７７から立ち上がる部分）の上面を構成している。板状部４１の上面は、略斜め上方を向いている。
【００４１】
本実施形態の板状部４１は、筒状部１９の軸方向外側に向かって僅かに凸となる球面状に形成されている。なお、板状部４１は、筒状部１９の軸方向に直交した平板状に形成されてもよい。
【００４２】
カバー３８の周壁部４２は、円筒状に形成されている。周壁部４２の軸方向は、筒状部１９の軸方向と平行である。
【００４３】
板状部４１の周縁部５９は、周方向の全長に亘って周壁部４２よりも外周側に突出している。略円板状の板状部４１の外径は、筒状部１９の上端部の外径と同じである。
【００４４】
周壁部４２の外周面には、筒状部１９の周方向の全長に亘る溝部４３が形成されている。溝部４３には、周壁部４２と筒状部１９の内面との間を密封するシール材として、筒状部１９の周方向の全長に亘るＯリング３９が設けられている。Ｏリング３９は、例えばゴム製であって、弾性を有している。
【００４５】
センサー１１は、人体を検知する人感センサーである。具体的にセンサー１１は反射型の光電センサーであって、より詳しくは限定反射型の光電センサーである。限定反射型光電センサーは、強い受光出力を得るために投受光の指向角度が小さい。このため、物体の存否を精度よく検知できる。
【００４６】
本実施形態のセンサー１１は、筒状部１９の上端部の内側に位置しており、回路基板４４、センサー素子、およびコネクター４９を備えている。
【００４７】
回路基板４４はカバー３８の内側（水栓本体１０の内部側）に配置されており、吐水部材１２の内部に位置している。詳しくは、回路基板４４は、カバー３８の板状部４１の内面側でかつ周壁部４２の内周側に位置している。回路基板４４の厚み方向は、筒状部１９の軸方向と平行であり、カバー３８の板状部４１に対向している。
【００４８】
回路基板４４には、前記センサー素子として投光部４５と受光部４６（図９参照）が設けられている。投光部４５および受光部４６は、回路基板４４の片面である上面に実装されており、カバー３８の板状部４１側に臨んでいる。
【００４９】
投光部４５は、照射光として赤外線を照射する投光素子であり、カバー３８の板状部４１を通して前斜め上方に赤外線を照射する。受光部４６（図９参照）は、赤外線を受ける受光素子であって、カバー３８の前斜め上方から、板状部４１を通過した赤外線を受光する。
【００５０】
センサー１１は、投光部４５の投光領域と受光部４６の受光領域との重複部分が検知領域６５（図５参照）となる。図５に示すように検知領域６５は、カバー３８の前斜め上方に位置している。なお、本実施形態のセンサー１１は赤外線センサーであるが、赤外線以外の不可視光線や可視光線、超音波等を用いたその他のセンサー１１であってもよい。また、センサー１１は反射型の光電センサーに制限されず、測距センサー等であってもよい。また、センサー１１は人感センサー以外のセンサーであってもよい。
【００５１】
図８に示すように、回路基板４４の下面（投光部４５および受光部４６が実装された面と反対側の面）には、コネクター４９が実装されている。
【００５２】
カバー３８の板状部４１の内面側でかつ周壁部４２の内側には、回路基板４４を保持する保持部材４０が配置されている。保持部材４０はカバー３８に固定されている。
【００５３】
本実施形態の保持部材４０は、回路基板４４の上面側に配置された位置決め部材４７と、回路基板４４の下面側に配置された被覆部材４８を備えている。回路基板４４は、位置決め部材４７と被覆部材４８とで囲まれている。
【００５４】
位置決め部材４７は、上部がカバー３８の板状部４１の下面（筒状部１９側に臨む内面）に形成された凹み部５０に嵌め込まれている。
【００５５】
位置決め部材４７には、回路基板４４側に突出した複数の突部５１が形成されている。回路基板４４において各突部５１に対応する箇所には、嵌込部５２が形成されている。本実施形態の嵌込部５２は、回路基板４４を厚み方向に貫通する孔である。
【００５６】
各突部５１は対応する嵌込部５２に嵌め込まれている。これにより回路基板４４は位置決め部材４７に対して固定されている。なお、嵌込部５２は、位置決め部材４７側に開口した有底の穴であってもよい。また、嵌込部５２は切欠であってもよい。
【００５７】
位置決め部材４７の前記各センサー素子に対応する箇所には、位置決め部材４７を筒状部１９の軸方向に貫通する貫通孔５３が形成されている。各貫通孔５３には、対応するセンサー素子（投光部４５または受光部４６）が位置している。
【００５８】
本実施形態の被覆部材４８は、ホットメルト剤から形成されている。被覆部材４８は、例えば以下のように形成される。まず、各突部５１を対応する孔５２に嵌め込むことで、位置決め部材４７を回路基板４４に固定する。次に位置決め部材４７をカバー３８の凹み部５０に嵌め込み、カバー３８の周壁部４２の内側に型となる入れ子を配置する。そして、カバー３９の周壁部４２と前記入れ子の間、および回路基板４４と前記入れ子の間に、溶融したホットメルト剤を注入し、このホットメルト剤を硬化させる。このように形成された被覆部材４８は、カバー３８の周壁部４２、回路基板４４、および位置決め部材４７に接合される。
【００５９】
被覆部材４８は、回路基板４４の下面においてコネクター４９に対応する部分以外の部分を覆っている。ここで、コネクター４９に対応する部分とは、回路基板４４の下面においてコネクター４９が実装された部分およびその周囲部を意味する。
【００６０】
被覆部材４８は、回路基板４４の外周端面とカバー３８の周壁部４２の内周面との間にも隙間無く充填されている。これにより、回路基板４４のコネクター４９に対応する部分を除く部分、および位置決め部材４７は、被覆部材４８によって下側が覆われる。
【００６１】
コネクター４９には、制御部３７に接続された配線５４（図６参照）が下側から接続される。回路基板４４に設けられた回路は、配線５４を介して制御部３７に電気的に接続される。
【００６２】
図１０に示すように、カバー３８の周壁部４２の下端部（板状部４１から突出した周壁部４２の先端部）には、被掛止部５５が形成されている。本実施形態の被掛止部５５は、周壁部４２の下端部の周方向の一部で構成されており、周壁部４２の前端部と後端部にそれぞれ形成されている（図８参照）。
【００６３】
各被掛止部５５は、周壁部４２の周方向における両側が、切り込み５６を介して周壁部４２の下端部の他部と分離している。このため、各被掛止部５５は周壁部４２の下端部の他部よりも周壁部４２の径方向に弾性変形しやすくなっている。各被掛止部５５の下端部には、周壁部４２の径方向外側に向かって突出した爪部５７が形成されている。
【００６４】
図１１に示すように、水栓本体１０の筒状部１９の上端部の内面には、被掛止部５５が着脱可能に掛止される掛止部５８が形成されている。掛止部５８は、筒状部１９の前端部と後端部のそれぞれに形成されている（図８参照）。本実施形態の各掛止部５８は、筒状部１９の周方向に延びたリブ状の突出部で構成されている。
【００６５】
図１０に示すように、カバー３８の板状部４１の周縁部５９の下面には、下方（筒状部１９側）に突出した突起６０が形成されている。突起６０は、周縁部５９の周方向の一部に形成されている。本実施形態の突起６０は、板状部４１の後端部に形成されており、周壁部４２の周方向において一方の被掛止部５５と同じ位置に配置されている。突起６０の内周側の端部は、周壁部４２に一体に接続されている。
【００６６】
水栓本体１０の筒状部１９の上端面６４（開口部２１側の端面）において突起６０に対応する箇所には、凹部６１が形成されている。凹部６１は、筒状部１９の上端面６４における周方向の一部に形成されている。本実施形態の凹部６１は、筒状部１９の後端部に形成されており、筒状部１９の周方向において、一方の掛止部５８と同じ位置に形成されている。本実施形態の凹部６１は切欠である。
【００６７】
作業者は、センサーブロック１６を例えば以下のように水栓本体１０に取り付ける。作業者は、カバー３８の突起６０と水栓本体１０の凹部６１の位置を合わせて、カバー３８の周壁部４２を筒状部１９の上端部に挿入する。これにより、カバー３８の被掛止部５５の爪部５７が、筒状部１９の掛止部５８（図１１参照）の下面側に掛止される。また、カバー３８の突起６０が、水栓本体１０の凹部６１に嵌まり込む。このようにして、センサーブロック１６は、図１２に示すように水栓本体１０に取り付けられる。
【００６８】
なお、被掛止部５５および掛止部５８は、例えば一方が凹部で構成され、他方がこの凹部に形成される突部であってもよい。
【００６９】
前述のようにセンサーブロック１６が水栓本体１０に取り付けられたとき、カバー３８の突起６０が筒状部１９の凹部６１に嵌まり込むことで、センサーブロック１６は、周壁部４２の軸回り方向の回転が規制される。
【００７０】
また、センサーブロック１６が水栓本体１０に取り付けられたとき、板状部４１の外周端面は、筒状部１９の外周面と段差なく面一状に配置される。このため、水栓装置１の掃除の際には、雑巾等の清掃具が板状部４１に引っ掛かり難くなり、掃除がしやすくなる。また、清掃具等が板状部４１に引っ掛かってセンサーブロック１６が外れることも生じ難くなる。
【００７１】
また、図８に示すように、センサーブロック１６に取り付けられたＯリング３９は、カバー３８の周壁部４２と水栓本体１０の筒状部１９とで圧縮され、このＯリング３９によって周壁部４２の外面と筒状部１９の内面との間が周方向に亘って密閉される。このため、水栓本体１０の開口部２１の内面とセンサーブロック１６の間から、水栓本体１０の内部に水が浸入し難くなる。
【００７２】
また、センサーブロック１６が水栓本体１０に取り付けられたとき、カバー３８の周縁部５９は図１２に示すように突起６０が形成された部分を除いて略隙間なく筒状部１９の上端面６４に沿って配置される。これに対して、カバー３８の突起６０の先端面である下面と、筒状部１９の凹部６１の下面（奥面）との間には、筒状部１９の外周側に通じた隙間６３が形成される。この隙間６３の大きさは、精密ドライバーの先端部を挿入できる程度である。このため、作業者は、例えば筒状部１９の外側から、精密ドライバーの先端部を隙間６３に差し込み、この精密ドライバーの先端部でカバー３８の突起６０を持ち上げることにより、被掛止部５５と掛止部５８の掛止を容易に解除できる。なお、前記隙間６３には、精密ドライバー以外の治具の一部が挿入できるようにしてもかまわない。
【００７３】
図６に水栓装置１の電源ボックス１５を示す。電源ボックス１５は、制御部３７、開閉弁３６、および商用電源に接続される電源プラグ６２を備えている。
【００７４】
制御部３７は、例えばマイクロコンピューターで構成される。制御部３７は、有線または無線によりセンサー１１および開閉弁３６と通信する。制御部３７は、センサー１１の検知結果に基づいて開閉弁３６を制御する。
【００７５】
具体的に制御部３７は、開閉弁３６が閉じている状態で、センサー１１により検知領域６５（図５参照）に物体が存在することを検知したとき、開閉弁３６を開いて吐水口部２４から水を吐出する。なお、このように開閉弁３６を開いたとき、制御部３７は、再びセンサー１１により検知領域６５に物体が存在することを検知するまで、開閉弁３６の開状態を維持する。
【００７６】
また、制御部３７は、開閉弁３６が開いている状態で、センサー１１により検知領域６５に物体が存在することを検知したとき、開閉弁３６を閉じて吐水口部２４からの吐水を停止する。すなわち、本実施形態では、センサー１１の検知結果に基づいて、吐水口部２４からの吐水の有無が切り換えられる。
【００７７】
本実施形態の水栓装置１は、例えば以下に示すように利用される。吐水部材１２の吐水口部２４から水を吐出する場合、利用者は、センサー１１の検知領域６５に手をかざす。これにより、検知領域６５に位置する手が、センサー１１により検知され、制御部３７によって開閉弁３６が開かれて、吐水口部２４から水が吐出される。
【００７８】
吐水口部２４から吐出される水を止める場合、利用者はセンサー１１の検知領域６５に再び手をかざす。これにより、検知領域６５に位置する手がセンサー１１により検知され、制御部３７によって開閉弁３６が閉じられて、吐水口部２４からの吐水が停止される。
【００７９】
以上説明した本実施形態の水栓装置１は、以下に示す特徴を有している。水栓装置１は、水栓本体１０とセンサーブロック１６を備える。水栓本体１０には、吐水口部２４が設けられる。センサーブロック１６は、水栓本体１０に設けられる。水栓本体１０は、外側に開口した開口部２１を備える。センサーブロック１６は、カバー３８とセンサー１１を備える。カバー３８は、水栓本体１０に取り付けられて開口部２１を閉塞する。センサー１１は、カバー３８の内側に配置されてカバー３８で覆われる。センサー１１がカバー３８に対して固定される。カバー３８が水栓本体１０に対して掛止により着脱可能に取り付けられる。
【００８０】
この特徴を有する水栓装置１は、カバー３８の水栓本体１０に対する掛止を解除することで、カバー３８およびカバー３８に固定されたセンサー１１を水栓本体１０から容易に取り外すことができる。仮にセンサー１１を水栓本体１０の内部にねじで固定し、水栓本体１０にこのセンサー１１を覆うカバー３８を設けたとする。この場合、センサー１１を水栓本体１０から取り出すには、水栓本体１０からカバー３８を取り外した後、水栓本体１０の内部においてねじを外す必要があり、作業が煩雑になりやすい。これに対して、本実施形態の水栓装置１は、カバー３８の水栓本体１０に対する掛止を解除するだけで、センサーブロック１６の水栓本体１０から取り外すことができる。このため、作業者はセンサー１１のメンテナンスや交換等を容易に行うことができる。
【００８１】
また、水栓装置１は本実施形態のように以下に示す特徴を有することが好ましい。センサー１１は、回路基板４４とコネクター４９を備える。回路基板４４には、センサー素子（投光部４５および受光部４６）が実装される。コネクター４９は、回路基板４４のカバー３８側と反対側の面に実装される。センサーブロック１６は、保持部材４０を備える。保持部材４０は、カバー３８に対して固定され、回路基板４４を保持する。回路基板４４のコネクター４９が実装された面においてコネクター４９に対応する部分以外の部分が、保持部材４０で覆われる。
【００８２】
この特徴を有する水栓装置１は、保持部材４０により、センサー素子とコネクター４９が実装された回路基板４４をカバー３８に固定できる。また、保持部材４０により、回路基板４４のコネクター４９が実装された面においてコネクター４９に対応する部分以外の部分が覆われる。このため、回路基板４４に水が掛かり難くなり、センサー１１が故障することを抑制できる。
【００８３】
また、水栓装置１は本実施形態のように以下に示す特徴を有することが好ましい。水栓本体１０は、軸方向の一端部に開口部２１が形成された筒状部１９を備える。カバー３８は、筒状部１９の開口部２１側の端面（上端面６４）に沿って配置される周縁部５９を備える。筒状部１９の前記端面とカバー３８の周縁部５９との間に、筒状部１９の外周側に通じた隙間６３が形成される。
【００８４】
この特徴を有する水栓装置１は、例えば隙間６３に精密ドライバー等の治具の一部を挿入し、この治具を用いてカバー３８の周縁部５９を筒状部１９の前記端面から離れる方向に移動することで、カバー３８の水栓本体１０に対する掛止を容易に解除できる。このため、センサーブロック１６のメンテナンスや交換の際には、作業者はセンサーブロック１６を水栓本体１０から容易に取り外すことができる。
【００８５】
また、水栓装置１は本実施形態のように以下に示す特徴を有することが好ましい。筒状部１９の前記端面（上端面６４）に、凹部６１が形成される。カバー３８の周縁部５９に、筒状部１９側に向かって突出した突起６０が形成される。突起６０が凹部６１に嵌まり込み、突起６０の先端面と凹部６１の奥面との間に隙間６３が形成される。
【００８６】
この特徴を有する水栓装置１は、突起６０が凹部６１に嵌まることにより、センサーブロック１６が筒状部１９の周方向に回転することを規制でき、センサーブロック１６を水栓本体１０にしっかりと取り付けることができる。また、作業者がセンサーブロック１６を水栓本体１０に取り付けるときに、突起６０を凹部６１に対して位置合わせすることで、
センサーブロック１６の周方向の位置決めを容易に行うことができる。このため、センサーブロック１６を水栓本体１０に容易に取り付けることができる。また、突起６０が嵌め込まれる凹部６１を利用して、隙間６３を形成できる。
【符号の説明】
【００８７】
１  水栓装置
１０  水栓本体
１１  センサー
１６  センサーブロック
１９  筒状部
２１  開口部
２４  吐水口部
３８  カバー
４０  保持部材
４５  投光部（センサー素子）
４６  受光部（センサー素子）
４９  コネクター
５９  カバーの周縁部
６０  突起
６１  凹部
６３  隙間
６４  筒状部の上端面（開口部側の端面）
【図１】
2016108773.tif 000003
【図２】
2016108773.tif 000004
【図３】
2016108773.tif 000005
【図４】
2016108773.tif 000006
【図５】
2016108773.tif 000007
【図６】
2016108773.tif 000008
【図７】
2016108773.tif 000009
【図８】
2016108773.tif 000010
【図９】
2016108773.tif 000011
【図１０】
2016108773.tif 000012
【図１１】
2016108773.tif 000013
【図１２】
2016108773.tif 000014